(57)【要約】【課題】  ダイクロイックミラーから漏れる光による見栄えの悪化を抑制することができる照明器具を提供する。【解決手段】  片口金のハロゲン電球１が有するダイクロイックミラー１１から漏れた可視光を、拡散反射して配光するフランジ部３３を有するハウジング３を備える。透光カバー４においてダイクロイックミラー１１から漏れた光が照射された領域の輪郭がぼやけるから、フランジ部３３を設けない場合に比べ、ダイクロイックミラー１１から漏れる光による見栄えの悪化が抑制される。また、ダイクロイックミラー１１から漏れた可視光を単に遮光する場合に比べ、ハロゲン電球１の光を有効に利用することができる。【選択図】図１
2006155951.tif 000002
【特許請求の範囲】
【請求項１】
可視光を配光するダイクロイックミラーを有する片口金のハロゲン電球と、施工面に取り付けられ、ダイクロイックミラーで配光された可視光が施工面から離れる方向へ照射される向きでハロゲン電球が取り付けられるソケットと、透光性を有する材料からなりソケットに対して固定され少なくとも施工面に沿った方向から見てハロゲン電球を覆う透光カバーと、ダイクロイックミラーと透光カバーとの間に設けられ、ダイクロイックミラーから施工面側へ漏れた可視光を配光する配光カバーとを備えることを特徴とする照明器具。
【請求項２】
施工面に取り付けられてソケットを収納し保持するソケットカバーと、配光カバーとソケットカバーとにそれぞれ機械的に結合し配光カバーをソケットカバーに対して固定する固定部材とを備え、固定部材は、ダイクロイックミラーから施工面側へ漏れた可視光を通す窓部を、ダイクロイックミラーと配光カバーとの間に有することを特徴とする請求項１記載の照明器具。
【請求項３】
配光カバーとソケットカバーと固定部材とをそれぞれ白色としたことを特徴とする請求項２記載の照明器具。
【請求項４】
施工面に対して平行であって配光カバーで配光された光が透過する平行部を透光カバーに設けたことを特徴とする請求項２又は請求項３記載の照明器具。
【請求項５】
透光カバーにおいて、平行部を透明とするとともに、平行部以外の部位をつや消しとしたことを特徴とする請求項４記載の照明器具。
【請求項６】
透光カバーにおいて平行部よりも施工面側に位置する部位を、配光カバーによって配光された光が照射される範囲内に収めたことを特徴とする請求項４又は請求項５記載の照明器具。
【請求項７】
配光カバーとソケットカバーと固定部材とが一体化されたハウジングを有し、ハウジングによって透光カバーを支持することを特徴とする請求項２乃至請求項６のいずれか記載の照明器具。
【発明の詳細な説明】
【技術分野】
【０００１】
本発明は、天井面等の施工面に取り付けられ、ハロゲン電球を直接照明に用いる照明器具に関するものである。
【背景技術】
【０００２】
従来から、天井面等の施工面に取り付けられる照明器具として、ハロゲンランプと、ハロゲンランプが放射する光のうち赤外光を透過させ可視光のみを所定の照射範囲に配光するダイクロイックミラーとを有する片口金のハロゲン電球を用いたものが提供されている（例えば、特許文献１参照）。ダイクロイックミラーは、例えば電線が挿通される小さい開口と光が出射する大きい開口とを有しハロゲンランプを囲む漏斗形状に形成される。
【０００３】
この種の照明器具においては、ダイクロイックミラーを用いたことにより、赤外光を含む光を放射するハロゲンランプを光源としながらも、照射範囲に照射される赤外光が低減されるから、照射範囲の温度の上昇が防止される。
【特許文献１】特開平１１−３２９０３５号公報
【発明の開示】
【発明が解決しようとする課題】
【０００４】
ここで、ダイクロイックミラーは、例えばガラスのような透光性を有する材料からなり漏斗形状に形成された基体の内面に、可視光を反射し赤外光を透過させるダイクロイック膜が真空蒸着などによって形成されてなる。
【０００５】
しかし、口金側となる基体の小さい開口側の端まで十分な厚さのダイクロイック膜を形成することは難しく、可視光を透過させてしまう透明領域が口金とダイクロイック膜との間に生じやすい。したがって、ハロゲン電球に取り付けられたセードやカバーが、上記透明領域から漏れた可視光によって透明領域の形状に照らされ、見栄えが悪かった。
【０００６】
本発明は上記事由に鑑みて為されたものであり、その目的は、ダイクロイックミラーから漏れる光による見栄えの悪化を抑制することができる照明器具を提供することにある。
【課題を解決するための手段】
【０００７】
請求項１の発明は、可視光を配光するダイクロイックミラーを有する片口金のハロゲン電球と、施工面に取り付けられ、ダイクロイックミラーで配光された可視光が施工面から離れる方向へ照射される向きでハロゲン電球が取り付けられるソケットと、透光性を有する材料からなりソケットに対して固定され少なくとも施工面に沿った方向から見てハロゲン電球を覆う透光カバーと、ダイクロイックミラーと透光カバーとの間に設けられ、ダイクロイックミラーから施工面側へ漏れた可視光を配光する配光カバーとを備えることを特徴とする。
【０００８】
この発明によれば、ダイクロイックミラーから施工面側へ漏れた可視光を配光カバーで配光することにより目立たなくすることができるから、配光カバーを設けない場合に比べ、ダイクロイックミラーから漏れる光による見栄えの悪化が抑制される。また、ダイクロイックミラーから施工面側へ漏れた可視光を単に遮る場合に比べ、ハロゲン電球の光を有効に利用することができる。
【０００９】
請求項２の発明は、請求項１の発明において、施工面に取り付けられてソケットを収納し保持するソケットカバーと、配光カバーとソケットカバーとにそれぞれ機械的に結合し配光カバーをソケットカバーに対して固定する固定部材とを備え、固定部材は、ダイクロイックミラーから施工面側へ漏れた可視光を通す窓部を、ダイクロイックミラーと配光カバーとの間に有することを特徴とする。
【００１０】
この発明によれば、固定部材を介して配光カバーをソケットカバーに固定することにより、配光カバーをソケットカバーとは別途に施工面に取り付ける場合に比べて施工が容易となる。また、窓部を設けたことにより、ダイクロイックミラーから施工面側へ漏れた可視光の、固定部材における反射を抑制することができる。
【００１１】
請求項３の発明は、請求項２の発明において、配光カバーとソケットカバーと固定部材とをそれぞれ白色としたことを特徴とする。
【００１２】
この発明によれば、配光カバーやソケットカバーや固定部材を有彩色とする場合に比べ、ダイクロイックミラーから施工面側へ漏れた可視光を効率良く利用することができる。
【００１３】
請求項４の発明は、請求項２又は請求項３の発明において、施工面に対して平行であって配光カバーで配光された光が透過する平行部を透光カバーに設けたことを特徴とする。
【００１４】
この発明によれば、配光カバーで配光された光を施工面側に出射させやすくなるから、配光カバーで配光された光を有効に利用することができる。
【００１５】
請求項５の発明は、請求項４の発明において、透光カバーにおいて、平行部を透明とするとともに、平行部以外の部位をつや消しとしたことを特徴とする。
【００１６】
この発明によれば、平行部を透明としたことで、配光カバーで配光された光を施工面側に出射させやすくなるから、配光カバーで配光された光を有効に利用することができる。また、平行部以外をつや消しとしたことで、施工面に沿った方向からはハロゲン電球が見えにくくなるから、施工面に沿った方向から見た見栄えが改善される。
【００１７】
請求項６の発明は、請求項４又は請求項５の発明において、透光カバーにおいて平行部よりも施工面側に位置する部位を、配光カバーによって配光された光が照射される範囲内に収めたことを特徴とする。
【００１８】
この発明によれば、配光カバーで配光された光により、透光カバーにおいて平行部よりも施工面側に位置する部位全体が照らされるから、透光カバーにおいて平行部よりも施工面側に位置する部位の一部のみを照らす場合に比べ、見栄えが改善される。
【００１９】
請求項７の発明は、請求項２乃至請求項６のいずれかの発明において、配光カバーとソケットカバーと固定部材とが一体化されたハウジングを有し、ハウジングによって透光カバーを支持することを特徴とする。
【００２０】
この発明によれば、透光カバーを支持する部品を別途用意する場合に比べて部品点数が減少する。
【発明の効果】
【００２１】
本発明は、片口金のハロゲン電球が有するダイクロイックミラーから施工面側へ漏れた可視光を配光する配光カバーを備えるので、ダイクロイックミラーから施工面側へ漏れた光を目立たなくすることができるから、配光カバーを設けない場合に比べ、ダイクロイックミラーから漏れる光による見栄えの悪化が抑制される。また、ダイクロイックミラーから施工面側へ漏れた可視光を単に遮光する場合に比べ、ハロゲン電球の光を有効に利用することができる。
【発明を実施するための最良の形態】
【００２２】
以下、本発明を実施するための最良の形態について、図面を参照しながら説明する。
【００２３】
（実施形態１）
本実施形態は、図１に示すように、ダイクロイックミラー１１を有する片口金のハロゲン電球１と、ハロゲン電球１が取り付けられるソケット２と、施工面としての天井面から吊り下げられソケット２を収納・保持するハウジング３と、例えばガラスやアクリル樹脂のような透光性を有する材料からなり筒状であってハロゲン電球１とソケット２とハウジング３とを囲む透光カバー４とを備える。以下、上下方向は図１を基準として説明する。
【００２４】
ハウジング３は、図２（ａ）〜（ｃ）に示すように、下面が開口した有底円筒形状に形成され内部にソケット２を収納・保持するソケットカバー部３１と、ソケットカバー部３１と同軸であって下面が開口しソケットカバー部３１よりも内径及び外径が大きい有底円筒形状であって上面の中央部がソケットカバー部３１の下端に連通した連結部３２と、連結部３２の下端の周縁から連結部３２の径方向の外側へ突設され外側へ向かって上方へ傾斜し全体として円錐台形状に形成されたフランジ部３３とからなる。そして、例えばソケットカバー部３１の底面の中央に一端が固定されたワイヤーＷの他端が天井面（図示せず）に固定されることにより、ハウジング３は天井面から吊り下げられている。さらに、ソケットカバー部３１の上面には、天井面から引き出されてソケット２に電気的に接続される電線Ｌを挿通するための電線挿通穴３１ａが貫設されている。そして、ソケットカバー部３１に収納されたソケット２にハロゲン電球１を取り付けると、ダイクロイックミラー１１の口金側の端部がハウジング３の連結部３２及びフランジ部３３に囲まれる。
【００２５】
透光カバー４は、図３（ａ）に示すように、円筒形状の大径部４１と、大径部４１の上端部から内側へ突設された円環形状の平行部４２と、平行部４２の内周端から上方へ突設され大径部４１よりも内径及び外径が小さく大径部４１と同軸の円筒形状の小径部４３とからなる。ここで、大径部４１の内径はハウジング３のフランジ部３３の外径よりも大きくしてあり、小径部４３の内径はハウジング３のソケットカバー部３１の外径よりも大きくかつ固定部４２の外径よりも小さくしてある。そして、図３（ｂ）に示すようにハウジング３の上側においてワイヤーＷと電線Ｌとが挿通され、図１に示すようにハウジング３の連結部３２の上面とフランジ部３３の上端とに平行部４２が載置されることにより、透光カバー４は支持されている。ここにおいて、ハウジング３とハロゲン電球１とはそれぞれ水平方向（施工面に沿った方向）から見て透光カバー４に覆われる。また、平行部４２は天井面に平行となる。このようにハウジング３によって透光カバー４を支持しているから、透光カバー４を支持するための部品を別途用意する場合に比べて部品点数が減少している。
【００２６】
また、大径部４１の少なくとも内側面と、小径部４３の少なくとも外側面とには、それぞれ例えばサンドブラストのようなつや消し加工が施されている。また、平行部４２にはつや消し加工は施さずに透明としてある。上記つや消し加工により、水平方向（施工面に沿った方向）から見てハロゲン電球１やハウジング３が見えにくくなるとともに、ハロゲン電球１の光やフランジ部３３で配光された光による透光カバー４のテカリが防止されるから、見栄えが改善されている。
【００２７】
ここで、ハウジング３は、例えば全体が白色に塗装されることにより、可視光を効率良く拡散反射（乱反射）するようになっている。また、連結部３２の側面には、図２（ａ）（ｃ）に示すように、それぞれ上下に長い複数の窓穴３２ａを周方向に並べて複数個、貫設してある。
【００２８】
そして、図１に破線矢印で示すように、ダイクロイックミラー１１の口金側の端部から漏れた可視光は、窓穴３２ａを通過してフランジ部３３の内面で拡散反射され、平行部４２を透過して小径部４３の外側面に照射される。つまり、フランジ部３３が配光カバーであり、連結部３２が固定部材である。
【００２９】
上記構成によれば、ダイクロイックミラー１１から漏れた光がハウジング３のフランジ部３３で拡散反射されることにより、透光カバー４においてダイクロイックミラー１１から漏れた光が照射された領域の輪郭がぼやけるから、ダイクロイックミラー１１から漏れる光による見栄えの悪化が抑制される。
【００３０】
また、ダイクロイックミラー１１から漏れた光を、ハウジング３のフランジ部３３で配光することにより、透光カバー４の外面を照らす演出用の光として有効に利用している。
【００３１】
さらに、透光カバー４においてフランジ部３３に配光された光が入射する平行部４２を透明としたことによって、平行部４２につや消し加工を施す場合に比べ、ダイクロイックミラー１１から漏れた光の利用効率を向上している。
【００３２】
また、配光カバーたるフランジ部３３と、ソケットカバーたるソケットカバー部３１とを、固定部材たる連結部３２を介して一体化しているので、配光カバーを別途用意する場合に比べて部品点数が減少している。さらに、ソケットカバーとは別に配光カバーを天井面に取り付ける場合に比べて施工性が向上している。
【００３３】
（実施形態２）
本実施形態の基本構成は実施形態１と共通であるので、共通する部分については同じ符号を付して図示並びに説明を省略する。
【００３４】
本実施形態は、実施形態１のような天井面からの吊り下げ支持とする代わりに、図４に示すように天井面Ｃに直付けする構成としたものである。
【００３５】
詳しく説明すると、透光カバー４は、図４における左右に２分割される２個の半割体４ａ，４ｂで構成されている。そして、ハウジング３及びハロゲン電球１を挟む形で２個の半割体４ａ，４ｂがそれぞれハウジング３に例えばつまみねじのようなねじＳＣでねじ止めされることによって、透光カバー４はハウジング３に取り付けられている。また、上記ねじＳＣが、天井面Ｃに固定された取付部材５に支持されることにより、透光カバー４及びハウジング３は天井面Ｃに取り付けられている。
【００３６】
さらに、透光カバー４において平行部４２よりも天井面Ｃ側に位置する部位である小径部４３の全体が、フランジ部３３によって配光された光の照射範囲に収まるように、ハウジング３の寸法や透光カバー４の寸法は設定されている。
【００３７】
上記構成によれば、実施形態１と共通の効果に加え、透光カバー４の小径部４３の全体が、フランジ部３３によって配光された光に照らされるから、水平方向から見た見栄えを実施形態１よりも改善することができる。
【００３８】
また、実施形態１のような吊り下げではなく天井面Ｃに直接固定するので、施工面として天井面Ｃに限らず壁面や床面にも取り付けることができる。
【図面の簡単な説明】
【００３９】
【図１】本発明の実施形態１を示す一部破断した正面図である。
【図２】同上の要部を示す斜視図であり、（ａ）（ｂ）は互いに異なる方向から見た状態を示し、（ｃ）は（ｂ）からハロゲン電球を取り外した状態を示す。
【図３】同上を示す図であり、（ａ）は斜視図、（ｂ）は分解斜視図である。
【図４】本発明の実施形態２を示す一部破断した正面図である。
【符号の説明】
【００４０】
１  ハロゲン電球
２  ソケット
３  ハウジング
４  透光カバー
１１  ダイクロイックミラー
３１  ソケットカバー部
３２  連結部
３３  フランジ部
４２  平行部
【図１】
2006155951.tif 000003
【図２】
2006155951.tif 000004
【図３】
2006155951.tif 000005
【図４】
2006155951.tif 000006